(57)【要約】【課題】紐のみを使用して多数の新聞紙をバラケないように結束するには、多少の技術、力と時間が必要である。また、結束するための紐を通すガイドを設けたストッカーを利用する場合は、ガイドに紐を通す煩雑な工程に加えて、ストッカーから新聞紙を取り出したときにバラケないように力強く紐で結束する必要がある。【解決手段】新聞紙等を保管しておく箱型をした袋のストッカー部１と結束するための紐２を固定して一体化することを課題の解決手段とした。本発明のストッカーは、ストッカー部１に取付けられている紐２を用いて、新聞紙をストッカー部１ごと紐２で結束する構成であるため、結束時に、あるいはあらかじめ、ストッカーのガイドに紐を通す煩雑さが皆無である。また、紐のみで結束する場合と比較して、新聞紙等がバラケるのを袋により防止できるとともに、結束した紐がずれてバランスを崩すことがため、弱い力で結束してもバラケが生じない。【選択図】  図１
2006256618.tif 000002
【特許請求の範囲】
【請求項１】
新聞紙類が収納可能な開口部を持つ箱状の袋であり、袋の対向する面に収納物を結束するための一対以上の端部を持つ紐が固定して具備されており、かつ、袋および紐の材質が紙材であることに特徴を有する新聞紙類ストッカー。
【請求項２】
対をなす紐の端部が、一本の紐の両端で、その紐が箱状の袋の側面および底面に固定されていることに特徴を有する請求項１記載の新聞紙類ストッカー。
【請求項３】
複数の紐が箱状の袋の底面で交差して固定されていることに特徴を有する請求項１および２記載の新聞紙類ストッカー。
【発明の詳細な説明】
【技術分野】
【０００１】
本発明は、新聞紙等をまとまり良く、簡単に梱包することが可能な新聞ストッカーに関するものである。
【背景技術】
【０００２】
不要の新聞紙等を資源回収に引き渡す場合、一般には新聞紙等を揃えて紐などで結束し、まとめて提出する。しかし、紐のみで新聞紙等がバラケないように結束を行うには、多少の技術、力と時間が必要である。
【０００３】
そのため、箱型のストッカーに紐を通すガイドを十文字状に設け、ストッカーに溜まった新聞紙を比較的容易に短時間で結束できる新聞紙ストッカーが考案されている。
【特許文献１】特開２００３−１６０１０５号公報
【０００４】
しかし、紐を通すガイドを設けたストッカーを使用する場合は、ガイドに紐を通す必要があり、この作業が煩雑と感じられる。また、紐で結束する時には、箱型のストッカーから新聞紙を取り出したときにバラケないようにかなりの力で結束する必要がある。
【発明の開示】
【発明が解決しようとする課題】
【０００５】
本発明は、ストッカーのガイドに紐を通す煩雑さと、紐を強い力で結束しなければならない点を課題として解決しようとしたものである。
【課題を解決するための手段】
【０００６】
本発明は、新聞紙等を保管しておく箱型をした袋のストッカーの部分と結束するための紐を接着などで固定して一体化することを課題の解決手段とした。
【発明の効果】
【０００７】
本発明のストッカーは、袋に取付けられている紐を用いて、袋ごと紐で結束する構成であるため、結束時に、あるいはあらかじめ、ストッカーのガイドに紐を通す煩雑さが皆無である。また、紐のみで結束する場合と比較して、新聞紙等がバラケるのを袋により防止できるとともに、結束した紐がずれてバランスを崩すことがないため、老人等の弱い力で結束してもバラケが生じない。
【０００８】
また、材質が紙であるため、新聞紙等を資源回収業者に引き渡す場合に、ストッカーを含む新聞紙等全体をリサイクルすることができ、紐部等をリサイクル時に分別する必要がなく、リサイクル循環システムが低人工で確立できる。
【発明を実施するための最良の形態】
【０００９】
上面が開口した箱型状の袋であるストッカー部は、底面形状が新聞紙を二つ折りにしたよりも若干大きい縦２４ｃｍ、横３２ｃｍ程度、高さは１ヶ月分の新聞紙を重ねた程度の２５ｃｍ程度で、袋の厚さは０．０５ｍｍ程度である。結束するための紐は、厚さ１ｍｍ、幅１０ｍｍ程度の帯状紐で、本数は２本である。材質はいずれも紙製で、紙質は新聞紙とともにリサイクル可能な再生紙が良い。
【００１０】
紐はストッカーの底面で２本が交差するように配置し、ストッカー部の袋とともに新聞紙を結束紐が十字形になるように結束できる。ストッカー部と結束紐の接着は、接着剤を使用しない圧着、あるいはリサイクルに悪影響の出ないでん粉質様の糊で行う。
【実施例１】
【００１１】
図１は、本発明のストッカーの１実施例を透過斜視図で示したものである。上面が開口した箱型状の袋である紙製のストッカー部１に、結束するための紙製の紐２がストッカー部底面の中央で紐２のそれぞれの中心が交差するように２本配置されている。紐２はストッカー部１の外周面で接着されており、ストッカー部１と紐２の位置関係がずれないようになっている。
【００１２】
図２は、図1のストッカーに新聞紙３を入れて、紐２を結束した状態を斜視図で示したものである。新聞紙３が溜まったら、紐２を軽く結束するだけで速やかに新聞紙３をまとめる事ができ、まとめる際に新聞紙がバラケないように力強く結束したり、紐を切ったりする手間が省け、力の弱い老人等でもスムースな整理が可能となる。
【実施例２】
【００１３】
図３は、別の形態の実施例を透過斜視図で示したものである。図１の実施例と異なる点は結束するための紙製の紐２がストッカー部１の内周面に接着されている。この形態でも図１の場合と同じ効果を得ることができる。
【実施例３】
【００１４】
図４は、さらに別の形態の実施例を斜視図で示したものである。図１の実施例と異なる点は結束するための紙製の紐２がストッカー部１の長手方向には２対配置されている。この形態は、新聞紙を２つ折りにせずにまとめる場合等、長手方向の長さが４０ｃｍ以上の場合に適している。
【実施例４】
【００１５】
図５は、さらに別の形態の実施例を斜視図で示したものである。図１の実施例と異なる点は結束するための紙製の紐２がストッカー部１の長手方向にのみ１対配置されている。この形態は、ストッカー部１の紙の強度が強い場合が好ましい。すなわち、新聞紙が長手方向にずれる場合に、ストッカー部１の強度でずれを抑える必要があるからである。
【実施例５】
【００１６】
図６は、さらに別の形態の実施例を透過斜視図で示したものである。図１の実施例と異なる点は結束するための紙製の紐２がストッカー部１の側面のみに配置され、ストッカー部１の底面には紐２が配置されていない。この形態は、ストッカー部１の紙の強度が強いことが必要である。すなわち、新聞紙を入れて紐２を結束した場合の張力、および紐２をつかんで持ち上げた場合の重量を上回る強度をストッカー部１の紙が有する必要がある。さらに、ストッカー部１と紐２の接着強度も強い必要がある。
【産業上の利用可能性】
【００１７】
新聞紙のみでなく、新聞紙の折り込み広告、雑誌、書籍、OA用紙、段ボール等のストッカーとしても適用できる。
【図面の簡単な説明】
【００１８】
【図１】結束紐付き新聞紙類ストッカーの透過斜視図である。（実施例１）
【図２】実施例１の結束紐付き新聞紙類ストッカーに新聞紙を入れ、結束した場合の斜視図である。（実施例１）
【図３】結束紐付き新聞紙類ストッカーの透過斜視図である。（実施例２）
【図４】結束紐付き新聞紙類ストッカーの斜視図である。（実施例３）
【図５】結束紐付き新聞紙類ストッカーの斜視図である。（実施例４）
【図６】結束紐付き新聞紙類ストッカーの透過斜視図である。（実施例５）
【符号の説明】
【００１９】
１  ストッカー部
２  紐
３  新聞紙
【図１】
2006256618.tif 000003
【図２】
2006256618.tif 000004
【図３】
2006256618.tif 000005
【図４】
2006256618.tif 000006
【図５】
2006256618.tif 000007
【図６】
2006256618.tif 000008